【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
スペーサであって、
この順に積層される第一層、第二層及び第三層を含み、
前記第二層は、前記第一層に嵌り込む下部と、少なくとも一部が前記第三層に嵌り込む上部とを含み、
前記第二層の材料硬度は前記第一層及び前記第三層の材料硬度よりも高い、スペーサ。
【請求項２】
前記第二層は平板型を呈する、請求項１に記載のスペーサ。
【請求項３】
前記下部の上、下表面の面積はいずれも前記上部の前記下部に近い表面の面積よりも小さい、請求項１に記載のスペーサ。
【請求項４】
前記上部は平板型サブパートと前記平板型サブパート上の前記下部から離れた側の凸起サブパートとを含み、
前記凸起サブパートの上、下表面の面積はいずれも前記平板型サブパートの上表面の面積及び下表面の面積のうちの少なくとも一方よりも小さく、
前記上部の少なくとも前記凸起サブパートが前記第三層に嵌り込む、請求項３に記載のスペーサ。
【請求項５】
前記上部の平板型サブパートと凸起サブパートはいずれも前記第三層に嵌り込む、請求項４に記載のスペーサ。
【請求項６】
前記上部は平板型を呈する、請求項３に記載のスペーサ。
【請求項７】
前記第三層の側面は前記第一層の側面を覆う、請求項１〜３、５〜６のいずれかに記載のスペーサ。
【請求項８】
前記第一層と前記第三層は樹脂層である、請求項１に記載のスペーサ。
【請求項９】
前記第二層は金属層又は金属酸化物層である、請求項１に記載のスペーサ。
【請求項１０】
前記第二層の最大厚さは１０００〜４０００Åである、請求項１に記載のスペーサ。
【請求項１１】
前記第一層及び前記第三層のうちの少なくとも一方がフォトレジストを含む、請求項１または８に記載のスペーサ。
【請求項１２】
基板と、
前記基板上に設けられるスペーサとを含み、
前記スペーサは請求項１〜１１のいずれかに記載のスペーサである、表示パネル。
【請求項１３】
圧力タッチ構造をさらに含み、
前記圧力タッチ構造は第一電極層と第二電極層とを含み、前記第一電極層と前記第二電極層は前記スペーサの両側に設けられ、
前記第一電極層は互いに絶縁する複数の第一電極を含み、前記第二電極層は面状の第二電極を含む、請求項１２に記載の表示パネル。
【請求項１４】
前記表示パネルはＯＬＥＤ表示パネルであり、
前記第二電極は前記ＯＬＥＤ表示パネルの陰極にも用いられる、請求項１３に記載の表示パネル。
【請求項１５】
前記表示パネルは液晶表示パネルであり、
前記第二電極は前記液晶表示パネルの共通電極にも用いられる、請求項１３に記載の表示パネル。
【請求項１６】
前記表示パネルはフレキシブルな表示パネルである、請求項１２〜１５のいずれかに記載の表示パネル。
【請求項１７】
スペーサの製造方法であって、
上面に凹溝を有する第一層を形成することと、
上部と、前記第一層の凹溝中に嵌り込む下部とを含む第二層を形成することと、
前記上部の少なくとも一部が嵌り込む第三層を形成することとを含み、
前記第二層の材料硬度は前記第一層及び前記第三層の材料硬度よりも高い、スペーサの製造方法。
【請求項１８】
請求項１２〜１５のいずれかに記載の表示パネルを含む表示装置。
【手続補正２】
【補正対象書類名】明細書
【補正対象項目名】発明の名称
【補正方法】変更
【補正の内容】
【発明の名称】スペーサ及びその製造方法、表示パネル、表示装置
【手続補正３】
【補正対象書類名】明細書
【補正対象項目名】０００２
【補正方法】変更
【補正の内容】
【０００２】
本開示は表示技術分野に関し、特に、スペーサ及びその製造方法、表示パネル、表示装置に関する。
【手続補正４】
【補正対象書類名】明細書
【補正対象項目名】０００３
【補正方法】変更
【補正の内容】
【０００３】
現在の表示パネルには、セル厚さを保つために一般的にスペーサが設けられる。スペーサが硬い材料のみで製造された場合、表示パネルが押圧されるとき、硬いスペーサは、変形しないことによる基板傷と、弾性を欠くために変形後に元の位置に戻しにくいことによる表示不良の発生との２種類のリスクを引き起こす可能性がある。硬度が低い材料のみを用いる場合、このようなスペーサは支持強度が悪く、表示パネルが押圧されるとき、スペーサは変位しやすく、表示不良の発生を招来する。
【手続補正５】
【補正対象書類名】明細書
【補正対象項目名】０００４
【補正方法】変更
【補正の内容】
【０００４】
本開示の第一形態は、スペーサを提供し、前記スペーサはこの順に積層される第一層、第二層及び第三層を含み、前記第二層は、前記第一層に嵌り込む下部と、少なくとも一部が前記第三層に嵌り込む上部とを含み、前記第二層の材料硬度は前記第一層及び前記第三層の材料硬度よりも高い。
【手続補正６】
【補正対象書類名】明細書
【補正対象項目名】０００６
【補正方法】変更
【補正の内容】
【０００６】
選択的には、前記下部の上、下表面の面積はいずれも前記上部の前記下部に近い下表面の面積よりも小さい。
【手続補正７】
【補正対象書類名】明細書
【補正対象項目名】０００７
【補正方法】変更
【補正の内容】
【０００７】
さらに選択的には、前記上部は平板型サブパートと前記平板型サブパート上の前記下部から離れた側の凸起サブパートとを含み、前記凸起サブパートの上、下表面の面積はいずれも前記平板型サブパートの上表面の面積及び下表面の面積のうちの少なくとも一方よりも小さく、前記上部の少なくとも前記凸起サブパートが前記第三層に嵌り込む。
【手続補正８】
【補正対象書類名】明細書
【補正対象項目名】０００８
【補正方法】変更
【補正の内容】
【０００８】
さらに、前記上部の平板型サブパートと凸起サブパートはいずれも前記第三層に嵌り込む。
【手続補正９】
【補正対象書類名】明細書
【補正対象項目名】００１５
【補正方法】変更
【補正の内容】
【００１５】
本開示の第二形態は、基板と、前記基板上に設けられるスペーサとを含み、前記スペーサは第一形態によるスペーサである、表示パネルを提供する。
【手続補正１０】
【補正対象書類名】明細書
【補正対象項目名】００１７
【補正方法】変更
【補正の内容】
【００１７】
さらに選択的には、前記表示パネルはＯＬＥＤ表示パネルであり、前記第二電極は前記ＯＬＥＤ表示パネルの陰極にも用いられる。
【手続補正１１】
【補正対象書類名】明細書
【補正対象項目名】００１８
【補正方法】変更
【補正の内容】
【００１８】
選択的には、前記表示パネルは液晶表示パネルであり、前記第二電極は前記液晶表示パネルの共通電極にも用いられる。
【手続補正１２】
【補正対象書類名】明細書
【補正対象項目名】００１９
【補正方法】変更
【補正の内容】
【００１９】
上記に基づき、選択的には、フレキシブルな表示パネルである。
【手続補正１３】
【補正対象書類名】明細書
【補正対象項目名】００２０
【補正方法】変更
【補正の内容】
【００２０】
本開示の第三形態は、スペーサの製造方法を提供し、上面に凹溝を有する第一層を形成することと、上部と前記第一層の凹溝中に嵌り込む下部とを含む第二層を形成することと、前記上部の少なくとも一部が嵌り込む第三層を形成することとを含み、前記第二層の材料硬度は前記第一層及び前記第三層の材料硬度よりも高い。
【手続補正１４】
【補正対象書類名】明細書
【補正対象項目名】００２３
【補正方法】変更
【補正の内容】
【００２３】
【図１】図１は本開示の少なくとも１つの実施例によるスペーサの構造模式図である。
【図２】図２は本開示の少なくとも１つの実施例によるスペーサの構造模式図である。
【図３】図３は本開示の少なくとも１つの実施例によるスペーサの構造模式図である。
【図４】図４は本開示の少なくとも１つの実施例によるスペーサの構造模式図である。
【図５】図５は本開示の少なくとも１つの実施例によるスペーサの構造模式図である。
【図６】図６は本開示の少なくとも１つの実施例によるスペーサの構造模式図である。
【図７】図７は本開示の少なくとも１つの実施例による表示パネルの構造模式図である。
【図８】図８は本開示の少なくとも１つの実施例によるスペーサの製造のフローチャートである。
【図９ａ】図９ａは本開示の少なくとも１つの実施例によるスペーサにおける第一層の模式図である。
【図９ｂ】図９ｂは本開示の少なくとも１つの実施例によるスペーサにおける第一層の模式図である。
【図９ｃ】図９ｃは本開示の少なくとも１つの実施例によるスペーサにおける第一層の模式図である。
【図１０ａ】図１０ａは本開示の少なくとも１つの実施例によるスペーサにおける第二層の模式図である。
【図１０ｂ】図１０ｂは本開示の少なくとも１つの実施例によるスペーサにおける第二層の模式図である。
【図１１ａ】図１１ａは本開示の少なくとも１つの実施例によるスペーサにおける第三層の模式図である。
【図１１ｂ】図１１ｂは本開示の少なくとも１つの実施例によるスペーサにおける第三層の模式図である。
【手続補正１５】
【補正対象書類名】明細書
【補正対象項目名】００２５
【補正方法】変更
【補正の内容】
【００２５】
図１〜６に示すように、本開示の少なくとも１つの実施例は基板３０上に形成されるスペーサ１０を提供し、スペーサ１０は積層して設けられる第一層１１、第二層１２及び第三層１３を含み、第二層１２は、第一層１１に嵌り込む下部１２１と、少なくとも一部が第三層１３に嵌り込む上部１２２とを含み、第二層１２の材料硬度は第一層１１及び第三層１３の材料硬度よりも高い。
【手続補正１６】
【補正対象書類名】明細書
【補正対象項目名】００２７
【補正方法】変更
【補正の内容】
【００２７】
なお、説明を容易にするために、本開示は第二層１２を上部１２２と下部１２１に区画しているが、実質的には、上部１２２と下部１２１との接触面は明らかな境界を有しなくてもよく、第二層１２は一体的構造であってもよい。
【手続補正１７】
【補正対象書類名】明細書
【補正対象項目名】００２９
【補正方法】変更
【補正の内容】
【００２９】
第一層１１、第二層１２及び第三層１３は積層して設けられ、即ち、基板３０に垂直に、第一層１１、第二層１２及び第三層１３は積層して設けられる。
【手続補正１８】
【補正対象書類名】明細書
【補正対象項目名】００３０
【補正方法】変更
【補正の内容】
【００３０】
そのうち、第一層１１を基板３０に近接して設け、第三層１３を基板３０から離れて設けてもよい。即ち、第一層１１を形成してから第二層１２を形成し、その後に第三層１３を形成する。
【手続補正１９】
【補正対象書類名】明細書
【補正対象項目名】００３１
【補正方法】変更
【補正の内容】
【００３１】
第一層１１と第三層１３の材料は同じであっても異なっていてもよい。基板を表示パネルに応用し、表示パネルが圧力を受けたとき、スペーサ１０と接触する膜層又はガラス基板を傷つけないように、第三層１３の材料を選択する。
【手続補正２０】
【補正対象書類名】明細書
【補正対象項目名】００３２
【補正方法】変更
【補正の内容】
【００３２】
第二層１２の下部１２１が第一層１１に嵌り込むように、第一層１１を製造して形成するとき、第一層１１の第二層１２に近接する表面に凹溝を形成してもよく、このように、第二層１２を形成するとき、第二層１２の下部１２１は凹溝中に充填することができ、構造的には第一層１１に嵌り込む。
【手続補正２１】
【補正対象書類名】明細書
【補正対象項目名】００３４
【補正方法】変更
【補正の内容】
【００３４】
下部１２１が第一層１１に嵌り込むことを例とすると、下部１２１が第一層１１に完全に取り囲まれることに限らず、例えば１つの側面がスペーサ１０表面に露出してもよく、２つの対向する側面がスペーサ１０表面に露出してもよい。
【手続補正２２】
【補正対象書類名】明細書
【補正対象項目名】００３６
【補正方法】変更
【補正の内容】
【００３６】
本開示の少なくとも１つの実施例はスペーサ１０を提供し、スペーサ１０がこの順に積層される第一層１１、第二層１２及び第三層１３を含み、かつ第二層１２の硬度を第一層１１及び第三層１３の硬度より高くすることにより、少なくともスペーサ１０表面の低硬度を保証するとともにスペーサ１０の支持強度を著しく向上させることができ、かつ第二層１２の厚さを合理的に設置することにより、スペーサ１０の弾性を保証することができるため、少なくとも圧力解消後にスペーサ１０が元の位置に戻れない問題を避けることができる。これに基づき、第二層１２の下部１２１が第一層１１中に嵌り込み、第二層１２の上部１２２の少なくとも一部が第三層１３中に嵌り込むようにすることにより、スペーサ１０を設けた基板を表示パネルに応用し、表示パネルが圧力を受けたとき、硬度が低い第一層１１及び第三層１３の変位を防止することができるため、少なくともスペーサ１０の変位を避けることができる。
【手続補正２３】
【補正対象書類名】明細書
【補正対象項目名】００３７
【補正方法】変更
【補正の内容】
【００３７】
選択的には、図１及び図２に示すように、第二層１２は平板型を呈する。即ち、第二層１２は基板に垂直である方向において断面が矩形を呈する。
【手続補正２４】
【補正対象書類名】明細書
【補正対象項目名】００３８
【補正方法】変更
【補正の内容】
【００３８】
この場合、第二層１２の下部１２１と上部１２２の厚さ合計は第二層１２の厚さである。
【手続補正２５】
【補正対象書類名】明細書
【補正対象項目名】００４４
【補正方法】変更
【補正の内容】
【００４４】
さらに選択的には、図３と図４に示すように、上部１２２は平板型を呈する。即ち、上部１２２は基板に垂直である方向において断面が矩形を呈する。
【手続補正２６】
【補正対象書類名】明細書
【補正対象項目名】００４５
【補正方法】変更
【補正の内容】
【００４５】
又は、選択的には、図５と図６に示すように、上部１２２は平板型サブパート１２２１と、平板型サブパート１２２１の下部１２１から離れた側に設けられた凸起サブパート１２２２とを含み、凸起サブパート１２２２の上、下底面の面積は平板型サブパート１２２１の上底面又は下底面の面積よりも小さく、少なくとも凸起サブパート１２２２は第三層１３中に嵌り込む。図５と図６に示すように、第二層１２は下部１２１、平板型サブパート１２２１及び凸起サブパート１２２２を含み、このように、第二層１２は基板に垂直である方向において断面が「十」字形を呈する。
【手続補正２７】
【補正対象書類名】明細書
【補正対象項目名】００６１
【補正方法】変更
【補正の内容】
【００６１】
本開示の少なくとも１つの実施例は、基板と、基板上に設けられるスペーサとを含み、スペーサが上記いずれかのスペーサである表示パネルを提供する。
【手続補正２８】
【補正対象書類名】明細書
【補正対象項目名】００６４
【補正方法】変更
【補正の内容】
【００６４】
本開示の少なくとも１つの実施例は表示パネルを提供し、表示パネル中のスペーサ１０がこの順に積層される第一層１１、第二層１２及び第三層１３を含み、かつ第二層１２の硬度を第一層１１及び第三層１３の硬度より高くすることにより、少なくともスペーサ１０表面の低硬度を保証するとともにスペーサ１０の支持強度を著しく向上させることができ、かつ第二層１２の厚さを合理的に設置することにより、スペーサ１０の弾性を保証することができるため、少なくとも表示パネルが受ける圧力の解消後にスペーサ１０が元の位置に戻れない問題を避けることができる。これに基づき、第二層１２の下部１２１が第一層１１中に嵌り込み、第二層１２の上部１２２の少なくとも一部が第三層１３中に嵌り込むようにすることにより、表示パネルが圧力を受けたとき、硬度が低い第一層１１及び第三層１３の変位を防止することができるため、少なくともスペーサ１０の変位を避けることができる。上述の通り、表示パネルが圧力を受けた後の変形効果を向上させ、表示パネルが圧力を受けた後、スペーサ１０による表示不良の状況を改善することができる。
【手続補正２９】
【補正対象書類名】明細書
【補正対象項目名】００７６
【補正方法】変更
【補正の内容】
【００７６】
選択的には、前記表示パネルはフレキシブルな表示パネルであってもよい。
【手続補正３０】
【補正対象書類名】明細書
【補正対象項目名】００７８
【補正方法】変更
【補正の内容】
【００７８】
本開示の少なくとも１つの実施例は、スペーサ１０の製造方法をさらに提供する。そのうち、図８に示すように、スペーサ１０を製造することは以下のステップを含んでもよい。
【手続補正３１】
【補正対象書類名】明細書
【補正対象項目名】００８８
【補正方法】変更
【補正の内容】
【００８８】
本開示の少なくとも１つの実施例はスペーサ１０の製造方法を提供し、スペーサ１０がこの順に積層される第一層１１、第二層１２及び第三層１３を含み、かつ第二層１２の硬度を第一層１１及び第三層１３の硬度より高くすることにより、少なくともスペーサ１０表面の低硬度を保証するとともにスペーサ１０の支持強度を著しく向上させることができ、かつ第二層１２の厚さを合理的に設置することにより、スペーサ１０の弾性を保証することができるため、少なくとも圧力の解消後にスペーサ１０が元の位置に戻れない問題を避けることができる。これに基づき、第二層１２の下部１２１が第一層１１中に嵌り込み、第二層１２の上部１２２の少なくとも一部が第三層１３中に嵌り込むようにすることにより、スペーサ１０を設けた基板を表示パネルに応用し、表示パネルが圧力を受けたとき、硬度が低い第一層１１及び第三層１３の変位を防止することができるため、少なくともスペーサ１０の変位を避けることができる。